(57)【特許請求の範囲】
【請求項１】
引き違いで開閉するガラス戸に用いる防犯センサであって、前記防犯センサは、ガラス戸のガラス面に貼着される検知器ケースを備え、且つこの検知器ケース内にガラス破壊の有無を検出するガラス破壊検知部と、磁気によって動作を行いガラス戸の開閉を検出する開閉スイッチング素子と、ガラス戸の動きを磁気信号として発するためのマグネット素子と、前記ガラス破壊検知部および前記開閉スイッチング素子からの検出信号を受けて所定の信号処理を行う信号処理部とを備え、前記検知器ケースは一方のガラス戸のガラス面及び他方のガラス戸のガラス面にそれぞれ１個ずつ設けられ、前記検知器ケースは双方のガラス戸のスライド方向に基づいて、ガラス面への設置方法が規定され、前記検知器ケース内で前記開閉スイッチング素子と前記マグネット素子とが前記スライド方向と交差する方向において対向するように配置されているとともに、一方のガラス面に貼着された検知器ケース内の開閉スイッチング素子が、他方のガラス面に貼着された検知器ケース内のマグネット素子と作用してガラス戸の開閉が検出されることを特徴とする防犯センサ。
【請求項２】
ガラス戸のスライド方向と平行になる方向において、前記検知器ケース内にある前記開閉スイッチング素子を複数並設することを特徴とする請求項１記載の防犯センサ。
【請求項３】
前記検知器ケース内に前記マグネット素子を脱着可能な状態で内蔵したことを特徴とする請求項１または請求項２記載の防犯センサ。
【請求項４】
前記検知器ケース内に、前記信号処理部からの出力信号を電波信号として発信するワイヤレス送信部を備えたことを特徴とする請求項１から請求項３のうちいずれかに記載の防犯センサ。
【請求項５】
前記検知器ケース内に、前記信号処理部からの出力信号に基づいて音を発生させる報知部を備えたことを特徴とする請求項１から請求項４のうちいずれかに記載の防犯センサ。
【請求項６】
請求項１から請求項５のうちいずれかに記載の防犯センサを引き違いで開閉するガラス戸に取り付ける方法であって、一方の防犯センサの開閉スイッチング素子とマグネット素子との位置関係と、他方の防犯センサの開閉スイッチング素子とマグネット素子との位置関係と、を逆転させて配置するとともに、一方のガラス戸をスライドさせた場合に、一方の防犯センサ内の開閉スイッチング素子が通過するラインに、他方の防犯センサ内のマグネット素子が位置するように配置することを特徴とする防犯センサの取り付け方法。
【発明の詳細な説明】
【０００１】
【発明の属する技術分野】
本発明は、引き違いで開閉するガラス戸に取り付ける防犯センサに関し、詳しくは、ガラス破壊検知および開戸検知の機能を一体に有した防犯センサに関するものである。
【０００２】
【従来の技術】
従来からガラス破壊検知と開戸検知の機能をともに有する防犯システムとして、特開平７−９３６７０号所載のものが提案されている。（図５）
図５に示すように、ガラス破壊検知器１０３内に設けられたガラス破壊検知回路において、ガラスが破壊したときに生じる特異な周波数成分を検出してガラス破壊の有無を検知する。また、窓枠側に取り付けたマグネット素子１０８とガラス破壊検知器１０３内に設けられたリードスイッチ素子１０９との組み合わせにおいて、開戸を検知する構造になっている。ガラス戸が閉じている状態のときには、窓枠側のマグネット素子１０８とガラス破壊検知器１０３内に設けられたリードスイッチ素子１０９が接近しており、マグネット素子１０８の磁力がリードスイッチ素子１０９に作用するので、リードスイッチ素子１０９はオフの状態になっている。しかし、窓が開けられたり、正しく閉じられていないときには、マグネット素子１０８からリードスイッチ素子１０９が離反して、リードスイッチ素子１０９はオンの状態となり、アラームを出力させてガラス戸の開閉を検知するのである。
【０００３】
ところで、従来から防犯システムに用いられるガラス破壊検知センサは、ガラス面に貼着して使用され、ガラス面が破壊されたときに発生する特異な周波数成分の振動波を検知するものであって、引き違いで開閉するようなガラス戸に用いる場合にはそれぞれのガラス面に一つずつ貼着する必要がある。
【０００４】
【発明が解決しようとする課題】
そうすると、図５に示した構造の防犯システムでは、引き違いで開閉するようなガラス戸に用いる場合、それぞれの窓枠側に取り付けられるマグネット素子が２個とそれぞれのガラス面に貼着されるガラス破壊検知器が２個の計４個の部品を取り付けなければ、それぞれのガラス戸の破壊と開閉を検知することができなかった。
【０００５】
また、図５の開戸検知では、ガラス戸が閉じているか開いているかの２通りしか検出することができず、ガラス戸の開閉状態の変化および開閉度合いは検知できない構造になっていた。
【０００６】
本発明は、上記事由に鑑みて為されたものであり、その目的は、一つの検知器内でガラス破壊検知および開戸検知する機能を同時に有する防犯センサを提供し、引き違いで開閉するガラス戸に使用する場合において、これら同一の防犯センサをそれぞれのガラス面に一つずつ取り付けることにより、それぞれのガラス戸の破壊と開閉を検知できるようにすることである。さらに、ガラス戸の開閉状態の変化および開閉度合いも検知できる防犯システムを提供するものである。
【０００７】
【課題を解決するための手段】
上記課題を解決するために請求項１記載の防犯センサでは、引き違いで開閉するガラス戸に用いる防犯センサであって、ガラス戸のガラス面に貼着される検知器ケースを備え、且つこの検知器ケース内にガラス破壊の有無を検出するガラス破壊検知部と、磁気によって動作を行いガラス戸の開閉を検出する開閉スイッチング素子と、ガラス戸の動きを磁気信号として発するためのマグネット素子と、前記ガラス破壊検知部および前記開閉スイッチング素子からの検出信号を受けて所定の信号処理を行う信号処理部とを備え、前記検知器ケースは一方のガラス戸のガラス面及び他方のガラス戸のガラス面にそれぞれ１個ずつ設けられ、前記検知器ケースは双方のガラス戸のスライド方向に基づいて、ガラス面への設置方法が規定され、前記検知器ケース内で前記開閉スイッチング素子と前記マグネット素子とが前記スライド方向と交差する方向において対向するように配置されているとともに、一方のガラス面に貼着された検知器ケース内の開閉スイッチング素子が、他方のガラス面に貼着された検知器ケース内のマグネット素子と作用してガラス戸の開閉が検出されることを特徴とするものである。
【０００８】
この防犯センサによると、引き違いで開閉するガラス戸において、一方のガラス面に貼着した防犯センサと、他方のガラス面に、検知器ケース内にある開閉スイッチング素子とマグネット素子との配置が一方のガラス面に貼着した防犯センサのそれと逆転した配置になるように、貼着した防犯センサとがガラス戸のスライド方向の同一ライン上に配置される。つまり、一方の（ガラス面に貼着した）防犯センサの検知器ケース内にある開閉スイッチング素子と他方の（ガラス面に貼着した）防犯センサの検知器ケース内にあるマグネット素子とが前記スライド方向の同一ライン上に位置する。そして、一方の防犯センサ内にある開閉スイッチング素子と他方の防犯センサ内にあるマグネット素子との組み合わせにおいて、ガラス戸の開閉を検出する。また、同時にそれぞれの防犯センサは検知器ケース内にガラス破壊検知部を備えており、貼着されたそれぞれのガラス面のガラス破壊を検出する。よって、それぞれのガラス面に一つずつ、同一の防犯センサを取り付けるだけで、ガラス戸の破壊と開閉が検知できるようになる。
【０００９】
また、請求項２記載の防犯センサは、請求項１記載の防犯センサにおいて、ガラス戸のスライド方向と平行になる方向において、検知器ケース内にある開閉スイッチング素子を複数並設することを特徴としたものである。
【００１０】
この防犯センサによると、引き違いで開閉するガラス戸において、一方のガラス面に貼着した防犯センサ内にある、ガラス戸のスライド方向と平行になるように複数並設された開閉スイッチング素子と、他方のガラス面に貼着した防犯センサ内にあるマグネット素子との組み合わせにおいて、前記開閉スイッチング素子のオンオフの順番を前記信号処理部で処理することにより、ガラス戸の開閉状態の変化および開閉度合いが検知できるようになる。
【００１１】
【発明の実施の形態】
以下、本発明の実施形態について説明する。図１は本発明の実施形態に係る防犯センサの構成を示すブロック図である。また、図２はこの防犯センサを引き違い窓に使用した場合の斜視図である。
【００１２】
この防犯センサは、内部に各回路機器を収納する箱として、実際にガラス面に貼着される検知器ケース１を備えている。以下、本実施形態を説明するにあたって便宜を図るために、図３のようなこの防犯センサを引き違いで開閉するガラス戸に使用した場合において、この検知器ケースの横方向がガラス戸のスライド方向と一致するように取り付ける。
【００１３】
また、この検知器ケース１内に内蔵されるものとして、ガラスが破壊されたときに生じる振動波の周波数成分を検出するガラス破壊検知部２と、磁気によって動作を行いガラス戸の開閉を検出する開閉スイッチング素子３（ここでは、リードスイッチ素子の常開接点型を用いている）と、ガラス戸の動きを磁気信号として発するためのマグネット素子４とがある。この実施形態において、マグネット素子４は検知器ケース１内に脱着可能な状態で内蔵され、マグネット素子４を取り出して開き戸の窓枠に取り付けるなど、その設置される環境に応じて取り付け方を変えることが可能である。また、この検知器ケース１の縦方向の両端に開閉スイッチング素子３とマグネット素子４が内蔵されているが、この同一ケース内にあるこれらが作用して検出動作を行うことはない。
【００１４】
さらに、この防犯センサは、検知器ケース１内にガラス破壊検知部２および開閉スイッチング素子３からの検出信号を受けて所定の信号処理を行う信号処理部５と、この信号処理部５からの出力信号を電波信号として発信するワイヤレス送信部６と、信号処理部からの出力信号に基づいて音を発生させる報知部７と、これら各回路機器へ電池からの電力を供給する電源部８とを備えている。
【００１５】
そして、この防犯センサは、図２に示すように引き違いで開閉するガラス戸において、一方のガラス面５０ａに第１の防犯センサＡが、他方のガラス面５０ｂに第２の防犯センサＢが貼着され、ガラス戸のスライド方向の同一ライン上に配置される。
【００１６】
また、図３に示すように第１の防犯センサＡの構造にはａを第２の防犯センサＢの構造にはｂを付すると、第２の防犯センサＢは、検知器ケース１ｂ内にある開閉スイッチング素子３ｂとマグネット素子４ｂとの配置が第１の防犯センサＡの開閉スイッチング素子３ａとマグネット素子４ａと逆転した配置になるように、他方のガラス面５０ｂに貼着され、さらに開閉スイッチング素子３ａとマグネット素子４ｂとの組み合わせ、および開閉スイッチング素子３ｂとマグネット素子４ａとの組み合わせにおいては、お互いに作用できるようにガラス戸のスライド方向に対して対応するように配置している。
【００１７】
上記場合の動作について説明する。まず、窓（ガラス戸）が閉じている状態のときには、第１の防犯センサＡと第２の防犯センサＢとは接近しており（図２）、検知器ケース１ａ内にある開閉スイッチング素子３ａと検知器ケース１ｂ内にあるマグネット素子４ｂとの組み合わせにおいて、マグネット素子４ｂの磁力が開閉スイッチング素子３ａに作用しているので、開閉スイッチング素子３ａはオフの状態である。次に、窓（ガラス戸）が開けられたり、正しく閉じられていない状態のときには、検知器ケース１ａ内の開閉スイッチング素子３ａと、検知器ケース１ｂ内のマグネット素子４ｂの距離が離れ、磁力が作用しない位置にきたとき、開閉スイッチング素子３ａはオンとなって、アラームを出力させてガラス戸の開閉を検知するのである。また、同時に第１の防犯センサＡおよび第２の防犯センサＢはそれぞれの検知器ケース１ａ、１ｂ内にガラス破壊検知部２ａ、２ｂを備えており、それぞれのガラス面が破壊されたときにはガラス破壊を検知できる。
【００１８】
図４は、図２の引き違い窓において、この防犯センサを用いた変形例の構成を示すブロック図である。ガラス戸のスライド方向と平行になるように、検知器ケース１内にある開閉スイッチング素子３を複数並設することを特徴としたものであり、図４ではそれぞれの検知器ケース内において、横方向に２個の開閉スイッチング素子を並設した例をあげており、検知器ケース１ａには開閉スイッチング素子３１ａおよび３２ａが、検知器ケース１ｂには開閉スイッチング素子３１ｂおよび３２ｂが備えられている。
【００１９】
上記場合の動作について説明する。まず、窓（ガラス戸）が閉じている状態のときには、第１の防犯センサＡと第２の防犯センサＢとは接近しており（図２）、検知器ケース１ａ内にある開閉スイッチング素子３１ａおよび３２ａと検知器ケース１ｂ内にあるマグネット素子４ｂとの組み合わせにおいて、検知器ケース１ｂに近いほうの検知器ケース１ａ内にある開閉スイッチング素子３２ａは、マグネット素子４ｂの磁力が作用しているのでオフの状態であり、検知器ケース１ｂから遠い開閉スイッチング素子３１ａはオンの状態である。この状態を初期設定しておくことにする。次に、窓（ガラス面５０ｂ）がスライドして開いていく場合について考える。少しガラス戸が開くと、第１の防犯センサＡと第２の防犯センサＢが重なり合い、開閉スイッチング素子３２ａはオフしたままで、開閉スイッチング素子３１ａはオンからオフになる。さらに窓が開いていくと、当初、窓が閉じていた状態とは逆の位置関係で第１の防犯センサＡと第２の防犯センサＢが遠ざかることになり、このとき最初に開閉スイッチング素子３２ａがオフからオンに切り替わり、さらに窓が開いていくと続けて開閉スイッチング素子３１ａがオフからオンへ切り替わる。この開閉スイッチング素子３１ａ、３２ａの動作を検出信号として信号処理部５ａにおいて処理することにより、監視中の窓がどの程度開いているか、または閉じている状態から開く方向に状態が変化していることなどを検知できる。
【００２０】
例えば、開閉スイッチング素子３１ａがオン、開閉スイッチング素子３２ａがオフであれば窓が閉じている状態であるとして、まず初期状態認識を行う。その後、開閉スイッチング素子３１ａ、開閉スイッチング素子３２ａともにオフすれば、窓が少し開いた状態と判断し、予備警報段階としてブザーなどの警報音を報知部７ａから小音量出力する。次に、開閉スイッチング素子３２ａがオンして、さらに続けて開閉スイッチング素子３１ａがオンすれば、窓の開閉度合いが人の出入りできる状態になったと判断し、本警報段階として大音量の警報音を報知部７ａから出力するとともに、窓が開いた状態を含む電波信号をワイヤレス送信部６ａが別置された受信器へ発信し、窓から離れた場所においても警報出力する動作を行ってもよい。
【００２１】
【発明の効果】
以上説明したように、請求項１記載の防犯センサでは、一つの検知器内にガラス破壊検知および開戸検知する機能を同時に有しており、引き違いで開閉するガラス戸において、これら同一の防犯センサをそれぞれのガラス面に一つずつ取り付けることで、それぞれのガラス戸の破壊と開閉を検知できるので、防犯システムを構成する部品数を削減させることができる。
【００２２】
請求項２記載の防犯センサでは、ガラス戸の開閉状態の変化および開閉度合いが検知できるようになる。
【図面の簡単な説明】
【図１】本発明の実施形態に係る防犯センサの構成を示すブロック図である。
【図２】上記実施形態に係る防犯センサを引き違い窓に使用した場合の斜視図である。
【図３】上記実施形態に係る防犯センサを引き違い窓に使用した場合の構成を示すブロック図である。
【図４】上記実施形態に係る防犯センサを引き違い窓に使用した変形例の構成を示すブロック図である。
【図５】従来の防犯システムの一実施例を示す概略説明図である。
【符号の説明】
１  検知器ケース
２  ガラス破壊検知部
３  開閉スイッチング素子
４  マグネット素子
５  信号処理部
６  ワイヤレス送信部
７  報知部
Ａ  第１の防犯センサ
Ｂ  第２の防犯センサ
【図１】
0003752976.tif 000002
【図２】
0003752976.tif 000003
【図３】
0003752976.tif 000004
【図４】
0003752976.tif 000005
【図５】
0003752976.tif 000006